(57)【要約】【課題】取付が容易な発光装置及び照明器具を提供する。【解決手段】本発明の実施形態によれば、第１発光パネルと、第１放熱基板と、を含む発光装置が提供される。前記第１発光パネルは、第１基板と、第２基板と、前記第１基板と前記第２基板との間に設けられ第１発光層を含む第１有機層と、を含む。前記第１放熱基板は、前記第１発光パネルが設けられる第１領域と、前記第１発光パネルと重ならない第２領域と、を含む第１面を有し、前記第２領域に設けられた第１被固定部を含む。【選択図】図１
2015065067.tif 000002
【特許請求の範囲】
【請求項１】
第１基板と、第２基板と、前記第１基板と前記第２基板との間に設けられ第１発光層を含む第１有機層と、を含む第１発光パネルと、
前記第１発光パネルが設けられる第１領域と、前記第１発光パネルと重ならない第２領域と、を含む第１面を有し、前記第２領域に設けられた第１被固定部を含む第１放熱基板と、
を備えた発光装置。
【請求項２】
前記被固定部は、ネジ孔を含む請求項１記載の発光装置。
【請求項３】
前記第２領域は、前記面内において前記第１領域の周りに位置する請求項１または２に記載の発光装置。
【請求項４】
第３基板と、第４基板と、前記第３基板と前記第４基板との間に設けられ第２発光層を含む第２有機層と、を含む第２発光パネルと、
前記第２発光パネルが設けられる第３領域と、前記第２発光パネルと重ならない第４領域と、を含む第２面を有し、前記第４領域に設けられた第２被固定部を含む第２放熱基板と、
をさらに備え、
前記第１被固定部は、前記第２領域の前記第４領域と重なる部分に設けられ、
前記第２被固定部は、前記第４領域の前記第２領域と重なる部分に設けられる請求項１〜３のいずれか１つに記載の発光装置。
【請求項５】
載置面を有する本体部と、
前記第２領域が前記載置面に配置されるように前記被固定部を介して前記本体部に固定される請求項１〜４のいずれか１つに記載の発光装置と、
を備えた照明器具。
【発明の詳細な説明】
【技術分野】
【０００１】
本発明の実施形態は、発光装置及び照明器具に関する。
【背景技術】
【０００２】
例えば、ＯＬＥＤ（Organic Light Emitting Diode）を光源とする発光装置及び照明器具がある。このような発光装置及び照明器具において、取付を容易にすることが望まれる。
【先行技術文献】
【特許文献】
【０００３】
【特許文献１】特開２０１３−１４９５３４号公報
【発明の概要】
【発明が解決しようとする課題】
【０００４】
本発明の実施形態は、取付が容易な発光装置及び照明器具を提供する。
【課題を解決するための手段】
【０００５】
本発明の実施形態によれば、第１発光パネルと、第１放熱基板と、を含む発光装置が提供される。前記第１発光パネルは、第１基板と、第２基板と、前記第１基板と前記第２基板との間に設けられ第１発光層を含む第１有機層と、を含む。前記第１放熱基板は、前記第１発光パネルが設けられる第１領域と、前記第１発光パネルと重ならない第２領域と、を含む第１面を有し、前記第２領域に設けられた第１被固定部を含む。
【発明の効果】
【０００６】
本発明の実施形態によれば、取付が容易な発光装置及び照明器具が提供される。
【図面の簡単な説明】
【０００７】
【図１】図１（ａ）及び図１（ｂ）は、第１の実施形態に係る発光装置を示す模式図である。
【図２】第１の実施形態に係る発光装置を示す模式的断面図である。
【図３】図３（ａ）及び図３（ｂ）は、実施形態に係る照明器具を示す模式図である。
【図４】第２の実施形態に係る発光装置を例示する模式的断面図である。
【発明を実施するための形態】
【０００８】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施形態）  
図１（ａ）及び図１（ｂ）は、第１の実施形態に係る発光装置を例示する模式図である。  
図１（ａ）は、発光装置１６０を例示する模式的断面図である。図１（ｂ）は、発光装置１６０を例示する模式的平面図である。図１（ａ）は、図１（ｂ）のＡ１−Ａ２線断面を例示している。
【００１０】
発光装置１６０は、発光パネル１５（第１発光パネル）と、放熱基板９０（第１放熱基板）と、を含む。例えば、発光パネル１５の上に、放熱基板９０が設けられている。
【００１１】
発光パネル１５から放熱基板９０へ向かう方向をＺ軸方向とする。Ｚ軸方向に対して垂直な１つの方向をＸ軸方向とする。Ｚ軸方向に対して垂直で、Ｘ軸方向に対して垂直な方向をＹ軸方向とする。
【００１２】
放熱基板９０は、第１面９０ｐ（例えば主面）を有する。第１面９０ｐに、第１領域９０ａと、第２領域９０ｂと、が設けられる。発光パネル１５は、第１領域９０ａの上に設けられる。すなわち、第１領域９０ａは、Ｚ軸方向と交差する平面（例えばＸ−Ｙ平面）に投影したときに、発光パネル１５と重なる領域である。第２領域９０ｂは、Ｚ軸方向と交差する平面に投影したときに、発光パネルと重ならない領域である。
【００１３】
発光パネル１５には、基板２０（第１基板）、第１の電極２１、第２の電極２２、及び、有機層３０（第１有機層）が設けられている。基板２０の上に、第２の電極２２が設けられている。第２の電極２２と基板２０との間に、第１の電極２１が設けられている。有機層３０は、第１の電極２１と第２の電極２２との間に設けられている。
【００１４】
基板２０の上に、透明封止部材２４（第２基板）が設けられている。基板２０と透明封止部材２４との間に、封止体２５が設けられている。封止体２５は、基板２０と透明封止部材２４との間の領域の周囲に連続して設けられている。
【００１５】
透明封止部材２４として、ガラス基板及び透明樹脂の少なくともいずれかが用いられる。封止体２５には、例えば、樹脂が用いられる。
【００１６】
有機層３０には、正孔輸送層３１（第１正孔層輸送層）と、発光層３２（第１発光層）と、電子輸送層３３（第１電子輸送層）と、が設けられている。例えば、第１の電極２１の上に正孔輸送層３１が設けられる。正孔輸送層３１の上に発光層３２が設けられる。発光層３２の上に第２の電極２２が設けられる。例えば、第２の電極２２は、基板２０の表面の一部にも設けられる。第２の電極２２は、基板２０の表面から有機層３０の上面にかけて、基板２０の表面と有機層３０の上面との間の段差を覆うように連続して設けられる。
【００１７】
有機層３０の側面と第２の電極２２との間、及び、第１の電極２１の端部と第２の電極２２との間には、絶縁膜２６が設けられている。
【００１８】
基板２０は、光透過性である。基板２０は、例えば、透明基板である。例えば、基板２０として、ガラス基板が用いられる。基板２０は、透明樹脂基板でもよい。
【００１９】
第１の電極２１は、例えば、光透過性である。第１の電極２１は、例えば透明電極である。第１の電極２１には、例えば、ＩＴＯ（Indium Tin Oxide）、ＩＺＯ（Indium Zinc Oxide）または導電性高分子などが用いられる。
【００２０】
例えば、第２の電極２２の光透過率は、第１の電極２１の光透過率よりも低い。第２の電極２２は、例えば、非光透過性である。例えば、第２の電極２２には、銀（Ａｇ）膜またはアルミニウム（Ａｌ）膜などが用いられる。例えば、第２の電極２２の厚さは、３０ｎｍ以上である。
【００２１】
発光パネル１５においては、例えば、第２の電極２２から、電子輸送層３３を介して、発光層３２へ電子が注入される。例えば、第１の電極２１から、正孔輸送層３１を介して、発光層３２へ正孔が注入される。発光層３２において、注入された電子と注入された正孔とが、再結合する。再結合の際に発生するエネルギーによって、発光層３２から光が放出される。
【００２２】
本明細書において、「透明」とは、発光層３２の発光光に対して透過性を有することを表す。「透明」とは、光透過率が１００％であることには限らない。例えば、波長５５０ｎｍにおける透過率が２０％以上、望ましくは３０％以上であることを意味する。発光層３２は、可視光を発光する。「透明」とは、リモートコントローラの送信信号や、人感センサの検知対象光などに対する透過性を有することも表す。例えば、「透明」とは、赤外線に対して透過性を有することも表す。
【００２３】
「不透明」とは、発光層３２から放出された光に対して遮光性または反射性を有することを表す。「不透明」とは、発光層３２から放出された光に対する透過率が０％であることには限らない。「不透明」とは、「透明」な領域よりも透過率が相対的に低い場合も表す。例えば、波長５５０ｎｍにおける透過率が２０％以下、望ましくは１５％以下であることを意味する。
【００２４】
この例では、第２の電極２２は、発光層３２から放出された光をほとんど透過させない厚さを有している。例えば、第２の電極２２は、光に対して高い反射性を有する。発光層３２から放出され、第２の電極２２側に向かう光は、第２の電極２２で反射して、透明電極である第１の電極２１を通過する。すなわち、発光パネル１５においては、発光層３２から放出された光は、透明基板である基板２０側から取り出される。
【００２５】
放熱基板９０には、例えば、アルミニウム（Ａｌ）及び銅（Ｃｕ）の少なくともいずれかが含まれる。放熱基板９０の厚さは、例えば、１ｍｍ（ミリメートル）以上である。
【００２６】
放熱基板９０は、例えば、板状である。放熱基板９０の第１面９０ｐ（主面）は、例えば、Ｘ−Ｙ平面に対して実質的に平行である。放熱基板９０の平面形状は、例えば、矩形である。
【００２７】
発光パネル１５に電流が供給されると、発光層３２は光を放出する。例えば、発光パネル１５に電流が流れた時に、消費される電力の一部は、熱に変わる。例えば、発光パネル１５に電流が流れると、ジュール熱が発生する。発光パネル１５で生じた熱によって、発光パネル１５の特性が劣化する場合がある。発光パネル１５で生じた熱によって、発光パネルの信頼性が低くなる場合がある。発光装置１６０において、発光パネル１５には放熱基板９０が設けられている。これにより、発光パネル１５で生じた熱は、放熱基板９０へ伝わり、放熱される。
【００２８】
透明封止部材２４は、第１主面２４ａと第２主面２４ｂとを有する。第１主面２４ａは、第２主面２４ｂと放熱基板９０との間に設けられる。例えば、第１主面２４ａと第２主面２４ｂとは、実質的に平行な面である。
【００２９】
第１面９０ｐと第１主面２４ａとは、実質的に平行であることが好ましい。これにより、例えば、発光パネル１５で生じた熱が、効率よく放熱基板９０へ伝わる。
【００３０】
図２は、第１の実施形態に係る発光装置を例示する模式的断面図である。発光装置１６１は、発光パネル１５と、放熱基板９０と、を含む。発光装置１６１には、接着層９１が設けられている。接着層９１は、第１領域９０ａと透明封止部材２４との間に設けられる。
【００３１】
接着層９１には、例えば、はんだが用いられる。すなわち、接着層９１は、はんだを含む。例えば、接着層９１には、錫をベースにし、金、銀、銅、ビスマス、ニッケル、インジウム、亜鉛、アンチモン、ゲルマニウム及びシリコンのいずれかを少なくとも１種類以上含むはんだを用いることができる。例えば、ＳｎＡｇＣｕ合金などが用いられる。
【００３２】
接着層９１には、例えば、グリスを用いてもよい。例えば、液体状または固体状の潤滑油（グリス）などが用いられる。接着層９１には、例えば、絶縁性を有する潤滑油（絶縁性グリス）や、導電性を有する潤滑油（導電性グリス）などを用いても良い。絶縁性グリスは、例えば、シリコーンとセラミック粒子とを含む。導電性グリスは、例えば、シリコーンと金属粒子とを含む。例えば、導電性グリスの熱伝導率は、絶縁性グリスの熱伝導率よりも高い。発光パネル１５において生じた熱は、接着層９１により、放熱基板９０に伝導されて、放熱される。実施形態によると、放熱基板９０によって、発光装置の放熱性が向上し、高い信頼性が得られる。
【００３３】
放熱基板９０には、被固定部が設けられている。放熱基板９０には、例えば、複数のネジ孔９０ｓ（第１被固定部）が設けられている。すなわち、放熱基板９０は、発光装置１６０の取付部としての機能を有する。発光パネル１５には、例えば、ガラスが用いられた基板２０が用いられる。このため、ＯＬＥＤパネル（発光パネル）単体には、ＯＬＥＤパネルを照明器具本体または壁面などに固定する取付部が無い場合がある。本実施形態に係る発光装置１６０によると、ＯＬＥＤパネルに設けられた放熱基板を取付部として用いることができる。これにより、例えば、ＯＬＥＤパネル単体で、ＯＬＥＤパネルを壁面や照明器具に取り付けることができる。
【００３４】
図３（ａ）及び図３（ｂ）は、実施形態に係る照明器具を例示する模式図である。  
図３（ａ）は、照明器具１６２を例示する模式的斜視図である。ネジ孔９０ｓを通るネジにより、壁面１６２ａに発光装置が固定されている。
【００３５】
図３（ｂ）は、照明器具１６３を例示する模式的斜視図である。ネジ孔９０ｓを通るネジにより、照明器具１６３の本体部１６３ａに発光装置が固定されている。
本体部１６３ａは、載置面１６３ｐを有している。第２領域９０ｂが載置面１６３ｐに配置される。発光パネルは、ネジ孔９０ｓ（被固定部）を介して、本体部１６３ａに固定される。
【００３６】
本発明の実施形態によると、発光パネルに接着される放熱基板を発光パネル以上に大きくする。放熱基板を取付部として固定するためのネジ孔を設けることで、取付が容易な発光パネル及び照明器具が提供される。
【００３７】
（第２の実施形態）  
図４は、第２の実施形態に係る発光装置を例示する模式的断面図である。  
図４に表したように、第２の実施形態に係る発光パネル１６２は、第１発光パネル１５と、第１放熱基板９０と、第２発光パネル１５ｂと、第２放熱基板９２と、を含む。
【００３８】
第２発光パネル１５ｂは、第３基板２０ｓと、第４基板２４ｓと、第２有機層３０ｂと、を含む。第２有機層３０ｂは、第３基板２０ｓと、第４基板２４ｓとの間に設けられている。第２有機層３０ｂは、第２発光層３２ｂを含む。
【００３９】
第２放熱基板９２は、第２面９２ｐを有する。第２面９２ｐは、第３領域９０ｃと、第４領域９０ｄとを、含む。第３領域９０ｃは、Ｘ−Ｙ平面に投影した時に、第２発光パネル１５ｂと重なる。第４領域９０ｄは、Ｘ−Ｙ平面に投影した時に、第２発光パネル１５ｂと重ならない。第４領域９０ｄには、ネジ孔９０ｕ（第２被固定部）が設けられている。
【００４０】
ネジ孔９０ｓは、第２領域９０ｂのうち、第４領域９０ｄと重なる部分に設けられている。ネジ孔９０ｕは、第４領域９０ｄのうち、第２領域９０ｂと重なる部分に設けられている。
【００４１】
例えば、ネジ孔９０ｕは、Ｘ−Ｙ平面に投影したときに、少なくとも一部がネジ孔９０ｓと重なる。例えば、ネジ孔９０ｕ及びネジ孔９０ｓを通過するネジ９０ｒによって、第２放熱基板９２は、第１放熱基板９０に固定（共締め）される。
【００４２】
本発明の実施形態によると、放熱基板を取付部として固定するためのネジ孔を設けることで、取付が容易な発光パネル及び照明器具が提供される。
【００４３】
上記において、被固定部の例として、ネジ孔を記載した。実施形態において、被固定部の形態は、任意である。例えば、バネ弾性体等の弾性部材を用いて、照明器具の本体部に放熱基板の第２領域を押さえつけることで、発光装置を本体部に固定しても良い。この場合には、第２領域のうちの、弾性部材に接触する部分が、被固定部となる。
【００４４】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【００４５】
以上、具体例を参照しつつ、本発明の実施の形態について説明した。しかし、本発明は、これらの具体例に限定されるものではない。例えば、発光パネル、放熱基板、ネジ孔などの各要素の具体的な構成に関しては、当業者が公知の範囲から適宜選択することにより本発明を同様に実施し、同様の効果を得ることができる限り、本発明の範囲に包含される。
【００４６】
また、各具体例のいずれか２つ以上の要素を技術的に可能な範囲で組み合わせたものも、本発明の要旨を包含する限り本発明の範囲に含まれる。
【００４７】
その他、本発明の実施の形態として上述した発光装置及び照明器具を基にして、当業者が適宜設計変更して実施し得る全ての発光装置及び照明器具も、本発明の要旨を包含する限り、本発明の範囲に属する。  
その他、本発明の思想の範疇において、当業者であれば、各種の変更例及び修正例に想到し得るものであり、それら変更例及び修正例についても本発明の範囲に属するものと了解される。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１５…発光パネル（第１発光パネル）、  １５ｂ…第２発光パネル、  ２０…基板（第１基板）、  ２０ｓ…基板（第３基板）、  ２１…第１の電極、  ２２…第２の電極、  ２４…透明封止部材（第２基板）、  ２４ａ…第１主面、  ２４ｂ…第２主面、  ２４ｓ…基板（第４基板）、  ２５…封止体、  ２６…絶縁膜、  ３０…有機層（第１有機層）、  ３０ｂ…第２有機層、  ３１…正孔輸送層（第１正孔輸送層）、  ３２…発光層（第１発光層）、  ３２ｂ…第２発光層、  ３３…電子輸送層（第１電子輸送層）、  ９０…放熱基板（第１放熱基板）、  ９０ｐ…第１面、  ９０ａ…第１領域、  ９０ｂ…第２領域、  ９０ｃ…第３領域、  ９０ｄ…第４領域、  ９０ｓ…ネジ孔（第１被固定部）、  ９０ｕ…ネジ孔（第２被固定部）、  ９０ｒ…ネジ、  ９１…接着層、  ９２…第２放熱基板、  ９２ｐ…第２面、  １６０、１６１…発光装置、  １６２、１６３…照明器具、  １６２ａ…壁面、  １６３ａ…器具本体
【図１】
2015065067.tif 000003
【図２】
2015065067.tif 000004
【図３】
2015065067.tif 000005
【図４】
2015065067.tif 000006